Podtech/llm-jp-corpus-v4-ja_patent huggingface dataset:
(57)【要約】【課題】  建設業の型枠工事で使用するインパクトドリルは必需品であるがドリルビットだけでなく、フォームタイ回しやピーコン回し、等を用途に合わせて付け替えるが、中でもドリルビットとフォームタイ回しを交互に使用したい状況が多々ある。しかし、その度に取り替えるのは煩わしい。【解決手段】  ドリルビットとフォームタイ回しを一体化し、電動インパクトから取り外さずに、伸長すれば瞬時にフォームタイ回しになり短縮すれば瞬時にドリルビットに代わり、作業効率は格段に上がる。【選択図】図７
2020176496.tif 000002
【特許請求の範囲】
【請求項１】
建設業の型枠工事で、インパクトドライバーのビットドリルとフォームタイ回しは頻繁に交換する作業形態が有り、その煩わしさを無くし、作業効率を上げる為にビットドリルとフォームタイ回しを一体化したもので有り、ビットドリルの軌道にフォームタイ回しのエッジを這わせ、前後に動かせるようにした物で、スライドさせて伸ばすとフォームタイ回しとして、縮めるとビットドリルに瞬時に切り替えられ、ドリルの回転力は、伸長時も短縮時も軌道からエッジを介してフォームタイ回しに伝わる合体ツールで、ストッパー部分を簡略した簡易型を含むドリルビットとフォームタイ回しの合体ツール。
【発明の詳細な説明】
【技術分野】
【０００１】建設業の型枠工事におけるインパクトドライバに取り付けるツール。
【背景技術】
【０００２】型枠工事に於いて、インパクトドライバは必需品であるが、主にドリルやフォームタイ回し、ピーコン回し等に使用する。
【発明の開示】
【発明が解決しようとする課題】
【０００３】型枠工事に於いて、インパクトドライバに穴を空けるためドリルビットとフォームタイ回しを交互に付け替える状況が多々あり、とても煩わしい。【０００４】
【課題を解決する為の手段】
【０００５】ドリルビットとフォームタイ回しを一体化する。
【発明の効果】
【０００６】スライド式で伸ばせば一瞬にフォームタイ回しに、縮めれば一瞬にドリルビットになる。
【０００７】
【発明を実施するための最良の形態】
【０００８】発明を実施するための最良の形態を、それぞれの図面を介して説明する。【０００９】図１は、平面図で、ドリルビット１、にフォームタイ回し２、を取り付けて伸長し、フォームタイ回し仕様にしたものである。【００１０】図２はフォームタイ回し仕様の側面図である。【００１１】図３は図２の（部分断面図）で、ドリルビット１、に設えた対の軌道１ｄａ、１ｄｂにフォームタイ回し２、のエッジ２ｄａ、２ｄｂ、２ｄｃ、を合わせて伸長しストッパー１ｃ、でエッジ２ｄｂ、を押さえて固定した物である。ドリルの回転力は軌道１ｄａ、１ｄｂからエッジ２ｄａ、２ｄｂ、２ｄｃ、を経てフォームタイ回しの回転力になる。尚、固定の解除はボタン２ａ、を押し込んで行う。【００１２】図４で、ドリルビット１と、フォームタイ回し２、の組み込みの説明をする。【００１３】ドリルビット１、をフォームタイ回し２の先端から軌道１ｄａ、１ｄｂと、エッジｄｂ、２ｄｃ、を合わせて押し込む。エッジ２ｄｂ、にストッパー１ｂ、が当り押し込めなくなるが、ピン穴２ｅ、に小さな釘か線材を使い、ストッパー１ｂ、を押し下げてドリルビット１、を押し込むと、ストッパー１ｂ、はエッジ２ｄａ、に当り、ボタン２ａ、を押しドリルビット１、をさらに押し込むとフォームタイ回し仕様になるが、スナップリング１ｅ、を取り付けて図３となる。【００１４】図３で、ボタン２ａ、を押し込んで、フォームタイ回し２、をスナップリングに当たるまで押し下げると、図５のドリル仕様となる。【００１５】ドリルは１２ｍｍの合板２枚の合わせ掘りが出来、ドリル使用時はフォームタイ回し２、に掛かる力は末端のスナップリング１ｅ、で受ける。【００１６】ドリルビットを引き抜くときは、スナップリング１ｅ、を外しボタン２ａ、を押せば簡単に外せる。図５のドリル仕様から、フォームタイ仕様に移行するにはボタン２ａ、を押してストッパー１ｂ、を解除し、掴んだフォームタイ回しを止まる所まで移行させるとロックが掛かり図３となる。【００１７】図７は、ドリルビット１、先端とフォームタイ回し２、とフォームタイ５、の相関図であり、フォームタイ５、とドリルビットが接触する事はない。【００１８】図８では、ドリル使用時の合板厚二枚分（２４ｍｍ）の切り屑は排路１ｆ、から排出される。【００１９】図９は、フォームタイ掴み部で、各社のフォームタイに対応の形状を有する。【００２０】図１２は、ドリルビットとフォームタイ回しの合体ツール簡易型で短縮時はネジを軽く手で締めて固定する。【００２１】図１３は，同じく合体ツール簡易型の伸長時でネジを軽く手で締めて固定する。
【図面の簡単な説明】
【図１】  伸長平面図
【図２】  伸長側面図
【図３】  伸長側面図（断面）
【図４】  合体説明図
【図５】  短縮側面図（断面）
【図６】  フォームタイ回し
【図７】  フォームタイ回し使用時
【図８】  ドリルビットの切り屑排出
【図９】  Ａ−Ａ断面図
【図１０】  Ｂ−Ｂ断面図
【図１１】  Ｃ−Ｃ断面図
【図１２】  合体ツール簡易型（短縮時）
【図１３】  合体ツール簡易型（伸長時）
【符号の説明】１          ドリルビット
１ａ        六角軸
１ｂ        ストッパー
１ｂａ      ストッパーボックス
１ｃ        ストッパー
１ｃａ      ストッパーボックス
１ｄａ      軌道
１ｄｂ      軌道
１ｅ        スナップリング
１ｆ        排路
２          フォームタイ回し
２ａ        押しボタン
２ｂ        押しボタンガード
２ｃ        フォームタイ掴み部
２ｄａ      エッジ
２ｄｂ      エッジ
２ｄｃ      エッジ
２ｅ        ピン穴
３          簡易型ドリルビット
３ａ        六角軸
３ｂａ      軌道
３ｂｂ      軌道
３ｃａ      ネジポケット
３ｃｂ      ネジポケット
４          簡易型フォームタイ回し
４ａ        ネジ摘まみ
４ｂ        エッジ
４ｃ        エッジ
４ｄ        エッジ
【図１】
2020176496.tif 000003
【図２】
2020176496.tif 000004
【図３】
2020176496.tif 000005
【図４】
2020176496.tif 000006
【図５】
2020176496.tif 000007
【図６】
2020176496.tif 000008
【図７】
2020176496.tif 000009
【図８】
2020176496.tif 000010
【図９】
2020176496.tif 000011
【図１０】
2020176496.tif 000012
【図１１】
2020176496.tif 000013
【図１２】
2020176496.tif 000014
【図１３】
2020176496.tif 000015
(57)【要約】【課題】  多く建設されている建築物、特に共同住宅、いわゆるマンション、アパート等において、生活環境を確保する手段として、二重床の遮音性能の向上が求められている。これに対して、従来の支持脚は、耐荷重性と衝撃音を軽減するという相反する性能を満足させることが充分でなかった。【解決手段】これを解決するため本発明は、支持脚の構成の中に、床荷重の支持と同時に、衝撃音の伝達経路を４５度傾斜させ、転換することで軽減する機能を有する。このことにより下階に対しての衝撃音の影響を緩和させる。  本発明は、このように構成を特徴とする支持脚である。【選択図】図２
2020176497.tif 000002
【特許請求の範囲】
【請求項１】
支持脚の構成において、構成材の一部を４５度に傾斜させ、垂直方向の衝撃音伝達経路を分散させる。この事により支持脚からスラブへの衝撃音の影響を緩和させる。
本発明は、このような構成を特徴とする支持脚である。
【発明の詳細な説明】
【技術分野】
【０００１】  本発明は、二重床の支持脚に関するものである。一般的な支持脚では、直上の床荷重は上部支持板、支持ボルトを経て下部スラブに伝わる。この時、床荷重と同時に、下階の生活環境に有害な上階からの衝撃音も伝わる。支持脚の性能としてはこれを軽減、遮断することが重要である。本発明では、上部支持板、中間ボルト、ボルトの下端に位置する緩衝部を上構成部とし、それを受ける緩衝部を下部構成部とする。そして、その接続部分で支持面を水平に対して４５度に傾斜させ、垂直に伝達された衝撃音の方向を変えることでスラブに対する影響を軽減させる。
このように構成された二重床の支持脚に関するものである。
【背景技術】
【０００２】  従来の一般的な二重床の支持脚は上部支持板と中間支持ボルトと下部緩衝部とで構成され、床の基板材と支持脚はビス・釘で固着され衝撃音は垂直に床スラブに伝わりやすい構成であった。
【先行技術文献】
【０００３】
【発明の概要】
【発明が解決しようとする課題】
【０００４】  従来の、床荷重と同時に床面からの衝撃音も伝えてしまう構成の支持脚を用いた二重床構造では、下階に対して衝撃音の軽減は課題が残った。それを満足させる手段として、建築構造体の剛性を大きくして性能を向上させる、具体的にはコンクリートスラブを厚くしたり、梁の位置を考慮するなどの方法で全体の性能を向上させるという方法がとられていた。このような事から、二重床の部分で衝撃音軽減の性能が向上すれば、その分、建築構造自体の負担を軽くし、建物の軽量化、あるいは経済的条件にも影響するといえる。
床の衝撃音軽減の性能を向上させるには、主要な構成部分である支持脚の性能を向上させることが重要で、本発明の目的もそこに集約される。
【課題を解決するための手段】
【０００５】  この課題を解決するための本発明は、床荷重の支持と同時に、有害な衝撃音伝達の軽減を目的とするもので、以下のように構成する。
上部支持板（１）は、床の構成材である床基板（９）を支持する。この際、上部支持板（１）と床基板（９）をビス、釘等で固着しない事は効果を高める。
支持ボルト（２）は高さ調整の機能と、床荷重をボルト下端板（３）を経て下部構成部に伝達する。下部構成部は、下部緩衝材（４）、底部保持材（５）、底部緩衝材（８）の組合わせにより構成される。
支持ボルト（２）からの荷重、衝撃音を受ける下部緩衝材（４）は下部２面が４５度に傾斜し、これを同じ４５度に傾斜した低部保持材（５）の傾斜部（６）、緩衝材（８）に伝達する。
本発明は、以上のように構成された支持脚である。
【発明の効果】
【０００６】  一般的に支持脚は、床荷重と衝撃音を垂直方向に伝達するものであるが本支持脚は、その構成部において支持面を４５度に傾斜させることにより衝撃音を分散させ、低減させる機能を有する。このことは、下階の生活環境に対して好影響であり、さらに構造体である床スラブに対して負担を低減させる。
【図面の簡単な説明】
【０００７】
【図１】  支持脚の上部構成部の平面図
【図２】  支持脚の側面図
【図３】  下部構成部の平面図（図２、Ｂ〜Ｂ部）
【図４】  断面図（図１、Ａ〜Ａ部）
【図５】  下部構成部を分離した斜視図
【発明を実施するための形態】
【０００８】  本発明を実施するための形態について説明する。
床荷重、衝撃音は上部支持板（１）、支持ボルト（２）、ボルト下端板（３）を経て、下部緩衝材（４）に伝達される。
底部緩衝材（８）は本支持脚の最下部構成材で、下面はスラブに接し、上面４５度傾斜部（６）で下部緩衝材（４）を支持する。
下部緩衝材（４）は、底部緩衝材（５）の上部に位置し、４５度に傾斜した面を持って接する。２材は垂直方向で接触しないよう隙間（７）設ける。
このように構成することで垂直方向の伝達経路を変換、分散させる。
【符号の説明】
【０００９】１    上部支持板
２    支持ボルト
３    ボルト下端板
４    下部緩衝材
５    底部保持材
６    底部保持材の４５度傾斜部
７    下部緩衝材と底部緩衝材の隙間
８    底部緩衝材
９    床基板
【図１】
2020176497.tif 000003
【図２】
2020176497.tif 000004
【図３】
2020176497.tif 000005
【図４】
2020176497.tif 000006
【図５】
2020176497.tif 000007
(57)【要約】【課題】  本発明は、後付け構造の雪止め具を屋根面に取付け設置することを目的とするものである。【解決手段】  上端部が内方向にやや曲折した曲折部２を有する正垂直部１につづく底辺面部３を内方向に斜設し、前記底辺面部３の下辺部４から垂直に曲折した垂直部５を設け、この垂直部５につづく底辺面部３との下辺部４には通孔６，６を設け、この通孔６，６には屋根部材に固定する螺子を挿入し、前記通孔間には通口を設けて成るのである。【選択図】    図１
2020176431.tif 000002
【特許請求の範囲】
【請求項１】
上端部が内方向にやや曲折した曲折部を有する正垂直部につづく底辺面部を内方向に斜設し、前記底辺面部の下辺部から垂直に曲折した垂直部を設け、垂直部につづく底辺面部との下辺部には通孔を設け、この通孔には屋根部材に固定する螺子を挿入し、また前記通孔間には別の通口を設けて成ることを特徴とする屋根用雪止め具。
【発明の詳細な説明】
【技術分野】
【０００１】
本発明は、大屋根において設置する雪止め具に関するもので、屋根の施工後又は既設の屋根面に対して取付けるための後付け用の雪止め具に関するものである。
【背景技術】
【０００２】
近年、自然石粒鋼板によって施工されている屋根にあっては、所定の雪止め具を屋根表面部における凹凸や段差に関係なく後付けで取り付ける場合があるため、取付箇所から浸入しようとする雨水の浸入防止に留意した構造のものを提供しなければならないところ、公知技術としては次のような部材が存在しているのである。
【先行技術文献】
【特許文献】
【０００３】
【特許文献１】登録実用新案第３０５４９６３号公報（平成１０年６月１５日出願）
【特許文献２】特開２０００−２６５６２７号公報（平成１１年３月１６日出願）
【特許文献３】特開２００９−１１４８１２号公報（平成１９年１１月９日出願）
【０００４】
このうち特許文献１の考案は、垂直羽根部と水平板部から成る雪止め具の水平板部の適所に凹溝線部を構成した部材であることにより水平板部分の強度が増大するから、積雪の加圧力による当該部分の盛り上がりを防止することができるし、また水平板部分は屋根材面には密着せず間隙部を保持していることから、融雪水の外部流出を促進することができるようになる。
【０００５】
また特許文献２の発明は、基板に補強リブ条を設けることにより、前記特許文献１と同様の効果を発揮することができるのである。
【０００６】
さらに特許文献３の発明も、帯板にリブ条を設けることにより、前記特許文献１と同様の効果を発揮しようとしているものである。
【０００７】
これら特許文献２，特許文献３のいずれの雪止め具も、特許文献１の考案を基本構造としている後付け構造のものでもある。
【発明の概要】
【発明が解決しようとする課題】
【０００８】
そこで、本発明にあっては、先行考案の実用新案権者である本件出願人（商号変更）において、さらに改良した後付け構造の雪止め具を屋根面において施工するために提供することを目的とするものである。
【課題を解決するための手段】
【０００９】
本発明は、上端部が内方向にやや曲折した曲折部を有する正垂直部につづく底辺面部を内方向に斜設し、前記底辺面部の下辺部から垂直に曲折した垂直部を設け、垂直部につづく底辺面部との下辺部には通孔を設け、この通孔には屋根部材に固定する螺子を挿入し、また前記通孔間には別の通口を設けて成るものである。
【発明の効果】
【００１０】
本発明によれば、後付けの場合であっても、本雪止め具が有する雨水等除去機能を完全に発揮する効果を挙げることができるのである。
【図面の簡単な説明】
【００１１】
【図１】本具の斜視図
【図２】本具の側面図
【図３】本具の正面図
【図４】本具の屋根面への取付状態を示す側面図
【図５】一屋根面における施工状態図
【発明を実施するための形態】
【００１２】
本発明にあっては、施工後の屋根面において、雪止め具の垂直部の底辺面部の下辺部を、屋根構造の垂直面部の一部に当接し、前記下辺部から曲折した垂直部を屋根部材の垂直部を螺子にて固定して設置するものである。
【実施例】
【００１３】
本発明にあっては、例えば、自然石粒付鋼板と呼ばれる屋根材ａへの取付け施工後に施工を目的とする雪止め具であり、本発明に係る後付け雪止め具は、屋根全体を葺き終わった状態の屋根面の正面部の屋根面の上下段差部を利用して取り付けるものである。
【００１４】
即ち、上端部が内方向にやや曲折した曲折部２を有するとともに、全体がやや内方向に勾配する正垂直部１と、この正垂直部につづく底辺面部３を内方向に曲折斜設し、この底辺面部の下辺部４から上方に垂直に曲折した垂直部５に間隔をおいて通孔６，６を設け、この通孔に螺子７，７を挿入して屋根部材ａに固定するようにするものである。
【００１５】
また、この螺子通孔６，６間の底辺面部の中央部には通口８を設け、この通口からは本具内部に滞留しようとする雨水を排出するようになるから、屋根材との密着によって発生する毛細管現象による雨水の滞留を防止し完全に排水することができるようになる。
【符号の説明】
【００１６】
１                          正垂直部
２                          曲折部
３                          底辺面部
４                          下辺部
５                          垂直部
６，６                      通孔
７，７                      螺子
８                          通口
ａ                          屋根材
【図１】
2020176431.tif 000003
【図２】
2020176431.tif 000004
【図３】
2020176431.tif 000005
【図４】
2020176431.tif 000006
【図５】
2020176431.tif 000007
(57)【要約】【課題】従来の送りねじは接続された器具に障害物が挟まると障害物を傷つけるか、送りねじが動かなくなる。器具としてドアに手足、首などが挟まると危険な状態に陥る。欠点として送りねじ、ナットにはねじ山があるからである。【解決手段】本発明は磁石のＮＳの引力を利用し、ねじの働きをさせ、ナットに接続された器具を動かし、器具に過大な反作用の力が働くとナットが空回りできる仕組みである。  送りねじの回転軸に（１）に板状ゴム磁石（２）を右ねじと同じ螺旋状巻き付けＮ極（５）Ｓ極（６）にねじ山の代わりをさせる。送りねじのねじ山と同じ働きを磁力を使うのである。障害物からの力がナットの移動方向の力と同じになったとき空回り（９）する仕組みである。【選択図】図５
2020176715.tif 000002
【特許請求の範囲】
【請求項１】
回転軸（１）の表面に帯状に螺旋形のＮ極（５）、Ｓ極（６）の磁石（２）を付け、ナットに相当する部分の穴の内側にも同じく帯状の螺旋のＮ極（５）、Ｓ極（６）の磁石（２）を貼り付けナット（３）に移動方向と反対の大きな負荷（１２）が掛かると空回り（９）できる送りねじ。
【発明の詳細な説明】
【技術分野】
【０００１】  この発明は送りねじに関するものである。
【背景技術】
【０００２】  送りねじは開閉する器具に使用される。自動ドア、パワーウインドウなどである。送りねじにねじ山があり、動く部分のナットにもねじ山がある。ナットに接続された器具であるドアを動かしている。送りねじを回転させることでナットが動きドアを動かしている。
【先行技術の文献】
【０００３】
【発明の概要】
【発明が解決しようとする課題】
【０００４】  従来の送りねじはナットに接続された器具に障害物が挟まると障害物を傷つけるか、送りねじが動かなくなる。例えば接続された器具としてドアに手足、首などが挟まり、送りねじが止まらないと危険な状態に陥る。
これは構造として送りねじにはねじ山があり、ナットの内側にもねじ山が付いている。ナットで接続された器具を動かすようになっている。
この構造の問題点は送りねじが回転しナットを動かすとき、ナットに接続された器具に障害物が挟まると、空回りせず、障害物を傷つけるか、送りねじの動きが妨げられ回転が止まる。【０００５】  障害物として手足などが挟まったとき、送りねじで締め付けられると怪我をするが、送りねじが空転する構造ならば安全で怪我をしなくなる。
危険回避のため、普通はセンサーが付いていて障害物が挟まると器具の動きを止める。
器具の場所によってはセンサーが付けられないものもある。センサー無しで障害物が挟まったときモーターが回転し続けても怪我をせず、さらに壊れない構造にする必要がある。
【課題を解決するための手段】
【０００６】  本発明は送りねじのねじ山を無くし、磁石のＮＳの引力を利用し、ねじの働きをさせ、ナットに接続された器具を動かし、器具に過大な反作用の力が働くとナットが空転できる仕組みである。
送りねじの回転軸に（１）に板状ゴム磁石（２）を右ねじと同じ螺旋状に巻き付けＮ極（５）Ｓ極（６）にねじ山の代わりをさせる。ナットにも板状ゴム磁石（２）を右ねじと同じ螺旋状に巻き付けＮ極（５）Ｓ極（６）にねじ山の代わりをさせ、磁力の引力を使うのである。【０００７】  モーター（１０）で送りねじの回転軸（１）を回転させると磁石（２）の引力でナットに接続された器具（１３）は移動方向（７）に動く。しかしナットに接続された器具に障害物（４）が挟まると、障害物からの反作用の力で移動方向に動く力を妨げる。
障害物からの反作用の力（１４）がナットに掛かる。するとナットは移動方向に動かなくなる。反作用の力がナットに働くと、回転軸（１）とナット（２）間は空回り（９）する仕組みである。【０００８】  従来の送りねじの構造を変え、障害物が器具に挟まったとき、ねじが空回りすることに怪我が無くより安全であり、また機械の故障を少なくするものである。
本発明の送りねじは磁力の引力で動く移動方向の力と過大な反対方向の力が同じになると、空回りを起こす。障害物を取り除くとまたナットは移動方向に動くことができる。
【発明の効果】
【０００９】  （ア）本発明においては、ねじ山が無いためナットに接続された器具に手足などが挟まれた場合、送りねじが空回りでき人体への危険が回避される。
（イ）本発明においては、モーターが動き続けても、空転により装置が壊れず、さらに障害物を取り除けばまた普通に動く。
（ウ）本発明は試作品として板状のゴム磁石を貼り付け製作したが、代わりに他の種類の磁石でも螺旋状に貼り付けることで空転して同じ効果が得られる。
（エ）用途によって磁石の種類、磁石の厚さ、回転軸の外径、ねじ山のピッチ（本発明の場合ＮＳ間隔）で移動する力のを変え、安全のための空回りする力の大きさを変えることができる。
【図面の簡単な説明】
【００１０】
【図１】本発明の正面図と磁石のＮ極Ｓ極の並びの拡大図
【図２】本発明のナットと磁石のＮ極Ｓ極の並びの拡大図
【図３】斜面図
【図４】側面図
【図５】本発明を機械に組み込んだ図
【発明を実施するための形態】
【００１１】  本案の発明は図１で示すようにゴム磁石（２）を回転軸（１）に巻き付け送りねじにする。貼り付ける方向はねじ山と同じようにＮ極、Ｓ極を螺旋形に貼り付ける。
同じく図２で示すようにナット（３）の内側にもゴム磁石（２）をＮ極（５）、Ｓ極（６）を螺旋形に貼り付ける。
【００１２】  実施例は従来の送りねじと同じ使い方である。送りねじ部分とナット部分でできており、送りねじにナット（３）を取り付け、モーター（１０）で送りねじを回転させ、磁石（２）の引力でナット（３）部分に接続された器具（１３）を移動方向（７）に動かす。
【００１３】  図５で示すように本発明の送りねじはナット（３）に接続された器具を移動させるとき障害物（４）が挟まると回転軸（１）とナット（３）の間で空回り（９）できるのである。
回転軸（１）の磁石（２）とナット（３）の磁石（２）の間の磁石によって働く移動方向の力（１１）と同じ反作用の力（１２）が働くと空回り（９）が始まる。
障害物（４）を取り除くと、再び送りねじの働きで器具（１３）を移動方向（７）に動かすことができる。
【符号の説明】
【００１４】  １、回転軸
２、ゴム磁石
３、ナット
４、障害物
５、Ｎ極
６、Ｓ極
７、移動方向
８、回転
９、空回り
１０、モーター
１１、移動方向の力
１２、反作用の力
１３、器具
【図１】
2020176715.tif 000003
【図２】
2020176715.tif 000004
【図３】
2020176715.tif 000005
【図４】
2020176715.tif 000006
【図５】
2020176715.tif 000007
(57)【要約】      （修正有）【課題】従来のエアコン室内機は送風ファンが内部にビス等で固定されており、汚れを清掃するのが容易でなかった為、簡単に送風ファンを洗浄できる構造を提供する。【解決手段】エアコン室内機1の左右どちらかの側面の回転、ロック式のサイドキャップ3を取り外し、モーター軸にビス等で固定されていない送風ファン4を取り出す事によりファン部分をキレイに洗浄出来る。元に戻す時も室内機中央部分に設けたファンガイドと四角錐の先端形状のモーター軸によりスムーズに入る様な構造のエアコン室内機。【選択図】図１
2020176776.tif 000002
【特許請求の範囲】
【請求項１】
左右どちらかの側面のベアリングの付いた回転、ロック式のサイドキャップを取り外し、モーター軸にビス等で固定されていない送風ファンを容易に脱着可能な構造のエアコン室内機
【請求項２】
四角錐または多角錐形状の先端部分と回転方向にピンの力が加わるような構造のモーター軸とファン軸との連結を容易にする構造を有した請求項1のエアコン室内機
【発明の詳細な説明】
【技術分野】
【０００１】
本発明は送風ファンの脱着が容易に出来る特徴のエアコン室内機である。          
【背景技術】
【０００２】
従来のエアコン室内機の送風ファンは内部にビス等で固定され簡単に分解出来ない様になっている。
【先行技術文献】
【非特許文献】
【０００３】
無  
【発明の概要】
【発明が解決しようとする課題】
【０００４】
従来のエアコンは送風ファンにカビやベトついた汚れが付着した場合、ブラシ等の道具を使用してもキレイに汚れを落とす事が困難であった。
【課題を解決するための手段】
【０００５】
そこで本発明は上記課題を解決する為、エアコン室内機(1)の前面パネル(2)を開き、エアコン左右どちらかの側面の回転、ロック式のサイドキャップ(3)を外し、中の送風ファン(4)を取り出す。外したファンは洗剤や水等で洗い、ファンの無い室内機の内側も雑巾等で汚れを拭取ることが出来る。洗ったファンはファンガイド(11)、及びモーター軸ユニット(8,9)により元の位置に容易に戻すことが出来る。そしてファンの軸をサイドキャップのベアリング部分(5)に入れながらロックする。正確にロックされたかは安全装置としてのリミットスイッチ(6)により確認出来る。
【発明の効果】
【０００６】
特に工具等用いず、エアコン室内機の送風ファンの取り外しが可能となり専門知識が無くても使用者が簡単に掃除出来る。またファンの汚れを取り除く事により風量が回復し消費電力の減少、省エネに繋がるメリットが生じる。
【図面の簡単な説明】
【０００７】
【図１】本発明の実施形態を示すエアコン室内機の送風ファンの取出し方法
【図２】エアコン室内機の側面のサイドキャップの構造図
【図３】エアコン室内機の送風ファンとモーター軸とのジョイント部分
【図４】外した送風ファンをエアコン室内機の側面から戻す時、挿入し易い様に内側中央部に設けたファンガイド
【図５】エアコン室内機の図１に対し反対側からの脱着図
【発明を実施するための形態】
【０００８】
以下、本発明の実施の形態を図面に基づいて説明する。
図１は室内機(1)の前面パネル(2)を開き、側面の回転、ロック式のサイドキャップ(3)を外し、中の送風ファン(4)を引き出す。
図２のサイドキャップ(3)は工具を使用しなくても廻すことで簡単に外れる。
図３は送風ファン(4)とモーター軸(8)の構造で、従来のエアコンのようにビス等で固定されていない為、簡単に引き抜くことができ、また四角錐形状の先端構造によりスムーズに挿入する事が出来る。
図４は送風ファンを側面より挿入し易い様に室内機内側の中央部にファンガイド(10)を設ける。
図５は図１に対し反対の側面より脱着する場合の構造である。
【産業上の利用可能性】
【０００９】
従来のエアコンに比べ、よりメンテナンスが簡単に出来る事により各分野でクリーニングによる衛生面、省エネ効果が幅広く期待できる。
【符号の説明】
【００１０】
1   エアコン室内機
2   前面バネル
3   サイドキャップ
4   送風ファン
5   ベアリングユニット
6   リミットスイッチ
7   モーター
8   モーター軸
9   ファン軸
10  ピン(モーター軸)
11  ファンガイド
【図１】
2020176776.tif 000003
【図２】
2020176776.tif 000004
【図３】
2020176776.tif 000005
【図４】
2020176776.tif 000006
【図５】
2020176776.tif 000007
(57)【要約】【課題】子供達が今どこにいるんだろうとかご老人が徘徊してどこにいるのだろうとか、ＧＰＳでスマートフォンやパソコンで現在位置をカゾク、ケイサツ各役所が確認出来る発明。ＧＰＳはパソコン、スマートフォンなどの技術を作った企業に教えてもらう。プライバシーは守ってもらう。【解決手段】この発明は、子供達やご老人の現在位置を、確認出来る事を目的としているものであり、学校や老人ホーム又は家族や警察が義務ずけるものとする。またリング型になっており鍵で取り外し出来るようになっており、また腕や足に巻くものであり、目立たない事も特徴とする。【選択図】図１
2020030198.tif 000002
【特許請求の範囲】
【請求項１】
現在位置をパソコン、スマートフォンで家族や警察が把握することを特徴する。
【請求項２】
衛生から、きんきゅうじに、取りあって（レーダーによる）警し庁が現在位置をはあくする（子どもたちや、はいかいの老人）のを目的とする。
【請求項３】
その情報（警し庁）を家族なりと連けいし、家族のパソコンやスマートフォンに知らせる。
【請求項４】
メーカーが（パソコン・スマートフォン）現在位置を知らせる技術を（パソコン・スマートフォン・けいさつ）警察におしえる。
【発明の詳細な説明】
【技術分野】
【０００１】この発明は、お年寄り俳諧や、小さな子供の位置情報を把握する事を目的としてのものでる。そのためには子供やお年よりの現在位置をうでや足首などにある受信、発信を、携帯やスマートフォン・パソコンなどの位置情報の技術を教えてもらう。
【背景技術】
【０００２】家族もしくは警察にのみ位置を知らせるＧＰＳであり、プライバシーは保護されるものである。スマートフォン、パソコンなどのメーカーに位置情報の技術を教えてもらう。
【発明の概要】
【発明が解決しようとする課題】
【０００３】子供が時間になっても帰ってこなかったり、ご老人が徘徊した時の、家族の安心を得る事を解決手段である。スマートフォン、パソコン・携帯の位置情報の技術を教えて利用する。
【課題を解決するための手段】
【０００４】宇宙衛星による電波により世界中の現在位置を知る手段。
全世界にレーダー、宇宙衛生からレーダーを発信する、技術をレーダーを作った企業から教えてもらう。
【発明の効果】
【０００５】家族のみならず皆の安心を求めることを目的にした効果である。
【図面の簡単な説明】
【０００６】
【図１】リング型にして、腕や足にＧＳＰを付ける略式な図。リングにある、ＧＰＳは、発信・受信にし、それを受けとる、家族・警さつ、各役所と連けいし、その技術は、携帯・スマートフォン・パソコンの技術を作った企業に教えてもらい利用する。目立たないように、足首、上ワンキンなどにリング付き（受発信）を、無事に帰ってきたら、図１▲４▼ＧＰＳを解除するため、カギ（図１▲２▼、▲３▼）を外す。
【符号の説明】
【０００７】▲１▼  くさり（チェーン）
▲２▼  カギのメス
▲３▼  カギのオス
▲４▼  ＧＰＳによる受発信
【図１】
2020030198.tif 000003
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
2020030198.tif 000004
(57)【要約】【課題】照明器具は、さまざまな生活シーンへ対応するため自然光（太陽光の朝日・夕日で2000K、昼間6,500K) に近い光色切り替え範囲を再現し、さらに細かい作業や文字の読み書きをするという生活シーンで多く使用される昼光色で、明るさ感や演色性の変化を感じられる照明器具を提供することが課題になっている。【解決手段】  本発明の相関色温度6,500Kと相関色温度2,700Kと相関色温度2,000Kの３色のＬＥＤを搭載し、光色の切り替え範囲を相関色温度2,000K〜6,500Kの範囲で再現し、なおかつ、普段使う昼光色の一つのポジションに相関色温度2,000KＬＥＤを点灯し、細かい作業や文字の読み書きするときに使用する昼光色として、明るさや演色性の変化を感じられる光を再現する。【選択図】図１
2020030926.tif 000002
【特許請求の範囲】
【請求項１】
相関色温度6,500Kと相関色温度2,700Kと相関色温度2,000Kの３色のＬＥＤを搭載し、光色の切り替えを相関色温度2,000K〜6,500Kの範囲で再現でき、また、相関色温度2,700K〜6,500Kの範囲は、相関色温度6,500Kと相関色温度2,700KＬＥＤの２色で構成し、照明器具の最大光量時を相関色温度5,000K付近に設定し、相関色温度2,000KＬＥＤを追加することを特徴とするＬＥＤ照明器具。
【発明の詳細な説明】
【技術分野】
【０００１】
本発明はさまざまな生活シーンへ対応するため、自然光（太陽光の朝日・夕日で2000K、昼間6,500K)に近い光色切り替え範囲を再現し、さらに細かい作業や文字の読み書きをするという生活シーンで求められる昼光色で明るさ感や演色性の変化を感じる照明器具に関する。
【背景技術】
【０００２】
従来、照明器具に搭載されるＬＥＤ光源は、主にJIS Z 9112に示す昼光色（色温度5,700K〜7,100K）、昼白色（色温度4,600K〜5,500K）、電球色（色温度2,600K〜3,250K）の光色が使用される。
演色性を向上する技術として、色温度6,500KＬＥＤと色温度2,000KＬＥＤに、青色ＬＥＤや赤色ＬＥＤを追加した照明器具（特許文献１）がある。
【先行技術文献】
【特許文献】
【０００３】
【特許文献１】特開２０１７-２０８１５８号公報
【発明の概要】
【発明が解決しようとする課題】
【０００４】
照明器具は、さまざまな生活シーンへ対応するため自然光（太陽光の朝日・夕日で2000K、昼間6,500K) に近い光色切り替え範囲を再現し、さらに細かい作業や文字の読み書きをするという生活シーンで多く使用される昼光色で、明るさ感や演色性の変化を感じられる照明器具を提供することが課題になっている。
【０００５】
本発明は、上記を解決し、生活シーンで多く使用される昼白色（相関色温度4,600K〜  5,500K）で、明るさ感や色味の変化を感じられる光を提供することを目的とする。
【課題を解決するための手段】
【０００６】
相関色温度6,500Kと相関色温度2,700Kと相関色温度2,000Kの３色のＬＥＤを搭載し、相関色温度2,700K〜6,500Kの範囲は、相関色温度6,500Kと相関色温度2,700KＬＥＤの２色で構成し、照明器具の最大光量時を相関色温度5,000K付近に設定し、相関色温度2,000KＬＥＤを追加することを特徴とする。
【発明の効果】
【０００７】
本発明の構成により、再現できる光色が2,000K〜6,500Kまでの範囲となり、太陽光に近い色温度範囲2,000K〜6,500Kを再現可能となる。
【０００８】
相関色温度6,500Kと相関色温度2,700KＬＥＤの２色で構成した相関色温度5,000Kと相関色温度2,000KＬＥＤを追加した相関色温度5,000Kで演色性に変化ができる。
【図面の簡単な説明】
【０００９】
【図１】本発明のＬＥＤ光源を搭載した照明器具の分解図
【図２】相関色温度6,500Kと相関色温度2,700Kを点灯したときの発光スペクトルと相関色温度2,000Kを追加したときの発光スペクトルを示すグラフ
【発明を実施するための形態】
【００１０】
以下、図面を参照して本発明を実施するための形態について説明する。
【００１１】
図1に示す照明器具本体１は鋼板製で皿状を成し、周囲にカバー取付具２を複数配置し、中央は天井の配線部品に接続する電源アダプタ３が貫通する開口孔を設ける。
【００１２】
さらに、下面に本発明の相関色温度6,500KＬＥＤ４と相関色温度2,700KＬＥＤ５と相関色温度2,000KＬＥＤ６を搭載した光源基板を備える。
【００１３】
前記光源基板を覆う、透明プラスチック製の光源カバー７を装着する。
【００１４】
さらに、前記光源カバー７を覆う乳白プラスチック製の透光カバー８を、前記カバー取付具２により保持する。
【００１５】
図2に示すグラフは、前記照明器具の発光スペクトルを示す。
【００１６】
発光スペクトル９は相関色温度6,500KＬＥＤ４と相関色温度2,700KＬＥＤ５の点灯時を示すが、青色の450nm付近の発光強度が突出し、赤色寄りは橙色590nm〜620nmを頂点に赤色620nmから750nmまでなだらかに下る変化を示す。
【００１７】
発光スペクトル１０は相関色温度6,500KＬＥＤ４と相関色温度2,700KＬＥＤ５、相関色温度2,000KＬＥＤ６の点灯時を示すが、青色の450nm付近は前記スペクトル９と同様の発光強度を示すが、赤色寄りは相関色温度2,000KＬＥＤ６を追加したことで橙色590nm〜620nmの強度が向上し、赤色620nmから750nmまでなだらかに下る変化を示す。
【００１８】
これにより、相関色温度2,000KＬＥＤ６を追加することで、橙色590nm〜620nmの波長成分が加わり演色性が向上する。
【００１９】
また、相関色温度6,500KＬＥＤ４と相関色温度2,700KＬＥＤ５、相関色温度2,000KＬＥＤ６を各々制御することで、最大光量を相関色温度5,000Kに調整する。    
【符号の説明】
【００２０】
1・・・照明器具本体
2・・・カバー取付具
3・・・電源アダプタ
4・・・相関色温度6,500KＬＥＤ
5・・・相関色温度2,700KＬＥＤ
6・・・相関色温度2,000KＬＥＤ
7・・・光源カバー
8・・・透光カバー
9・・・相関色温度6,500KＬＥＤ+相関色温度2,700K
ＬＥＤ発光スペクトル
10・・・相関色温度6,500KＬＥＤ+相関色温度2,700K+相関色温度2,000KＬＥＤ発光スペクトル
【図１】
2020030926.tif 000003
【図２】
2020030926.tif 000004
(57)【要約】      （修正有）【課題】滑走路を使用しないで飛行可能な旅客機を提供する。【解決手段】マーベリック戦闘機を基に旅客機を製作する。【選択図】なし【特許請求の範囲】
【請求項１】
非滑走路旅客機
【請求項２】
滑走路不要の旅客機
【発明の詳細な説明】
【技術分野】
【０００１】本発明は、小笠原諸島等の島でも旅客機が行き来可能である様にするものである
【発明の概要】
【発明が解決しようとする課題】
【０００２】滑走路なしで離着陸する事を目的とする
【課題を解決するための手段】
【０００３】アメリカ軍所有のマーベリック戦闘機を基に旅客機を製作する
(57)【要約】【課題】洗剤やシャンプーなどのボトル容器入り液体商品には、詰め替え用パックがあるが通常である。ただ、これらの詰め替え用パックは、詰め替え口がパック上部横に設けられているために、詰め替え作業を行う際はパックを斜めにして液体を詰め替えボトル内に注ぎ入れなければならない。しかし、このような方法では注意して注がないと液体が容器外に漏れやすいという現象が起きる。  本考案は、洗剤やシャンプーなどの詰め替えを容易にするパックを提供する。【解決手段】詰め替え用パックの中身を、空になった詰め替えボトルの口から注ぐ際に、詰め替えパックの上部横ではなく、底部に設けられた専用口から注ぐことで、簡単に液体を詰め替えることができることを特徴とする液体詰め替え用パック。【選択図】図１
2020015550.tif 000002
【特許請求の範囲】
【請求項１】
詰め替え用パックにおいて、上端縁の一端に、内部空間を小さく外側に突起させる形でベロ状の摘み片、摘み片の根元部に切取り線を設けてあって、切取った瞬間に空気が内部に流入するための孔、即ち流入孔が出来ることになる空気流入部を備え、底面は下方に向かって膨らむように、なだらかに斜降して中心部へと収斂される斜降面を成し、その中心部は詰め替えボトルの口径よりも小さな丸孔即ち流入孔を縁取る切り取り線即ち流入孔切取り線が設けてあり、流入孔切取り線に囲われた内側域に、指先で摘まめる程のベロ状凸片即ち切除摘まみ片が形成してあることを特徴とする底から入れる詰め替え用パック。
【発明の詳細な説明】
【技術分野】
【０００１】  本発明は、洗剤やシャンプー等の詰め替え用パックに関するものである。
【背景技術】
【０００２】  従来、洗剤等の詰め替え用パックは、パック上部横に詰め替え口があるものが主流だった。
【先行技術文献】
【特許文献】
【０００３】
【特許文献１】実登３１００８８３
【発明の概要】
【発明が解決しようとする課題】
【０００４】  洗剤やシャンプーなどのボトル容器入り液体商品には、詰め替え用パックがあるのが通常である。ただ、これらの詰め替え用パックは、詰め替え口がパック上部横に設けられているために、詰め替え作業を行う際は、詰め替え用パックを斜めにして液体を詰め替えボトルに注ぎ入れなければならない。しかし、このような方法では注意して注がないと液体が詰め替えボトルの外に漏れやすくなり、詰め替え作業に時間がかかることが多い。
本発明は、以上の問題点を解決するためになされたものである。
【課題を解決するための手段】
【０００５】  詰め替えボトルへの移し替え用洗剤やシャンプー等の液体を封入してある詰め替え用パックにおいて、上端縁の一端に、内部空間を小さく外側に突起させる形でベロ状の摘み片、摘み片の根元部に切取り線を設けてあって、切取った瞬間に空気が内部に流入するための孔、即ち流入孔が出来ることになる空気流入部を備え、底面は下方に向かって膨らむように、なだらかに斜降して中心部へと収斂される斜降面を成し、その中心部は詰め替えボトルの口径よりも小さな丸孔即ち流入孔を縁取る切り取り線即ち流入孔切取り線が設けてあり、流入孔切取り線に囲われた内側域に、指先で摘まめる程のベロ状凸片即ち切除摘まみ片が形成してある。その様に形成された詰め替え用パックを逆さにして切除摘まみ片を引っ張って流出孔切取り線で切除して流出孔を作り、詰め替えボトルの口を流出孔に当てがい、逆さの詰め替え用パックを起こした状態で、空気流入部の摘み片を引っ張って切取り流出孔が出来ると、それと同時に詰め替え袋内の液体は流出孔から詰め替えボトルの方に速やかに移動する。
以上を特徴とする底から入れる詰め替え用パックである。
【発明の効果】
【０００６】  詰め替え用パックの中身を、空になったボトル容器の詰め替え口から注ぎ入れる際に、パック底部に設けられた流出孔から注ぐことで液体を詰め替えることができるために、手や棚などを汚すことなく誰でも素早く簡単に詰め替え作業を行うことができる。またその際、詰め替え用パック上端縁に設けられている空気流入孔から空気を取り入れることで、液体は詰め替えボトル内に速やかに落ちていくために、詰め替え作業がより容易になる。
本発明は、あらゆる詰め替え用パックに使用することができる。
【図面の簡単な説明】
【０００７】
【図１】本発明の底部を示す斜視図
【図２】本発明の使用状態を示す正面図
【図３】本発明の横面図
【発明を実施するための形態】
【０００８】  以下、本考案の実施の形態を説明する。
詰め替えボトル（Ｂ）への移し替え用洗剤やシャンプー等の液体を封入してある詰め替え用パックにおいて、上端縁の一端に、内部空間を小さく外側に突起させる形でベロ状の摘み片（１）、摘み片（１）の根元部に切取り線（２）を設けてあって、切取った瞬間に空気が内部に流入するための孔、即ち流入孔（３）が出来ることになる空気流入部（４）を備え、底面は下方に向かって膨らむように、なだらかに斜降して中心部へと収斂される斜降面（５）を成し、その中心部は詰め替えボトル（Ｂ）の口径よりも小さな丸孔即ち流入孔（６）を縁取る切り取り線即ち流入孔切取り線（７）が設けてあり、流入孔切取り線（７）に囲われた内側域に、指先で摘まめる程のベロ状凸片即ち切除摘み片（８）が形成してある。
本発明は以上の様な構成であり、以下、その実施の形態、使用方法を述べる。
本発明を使用する際は、詰め替えパックを逆さまにした状態で、パック底面に設けてある液体流出孔のための切除摘み片を手で切取り、そのまま流出孔を詰め替えボトルの口に当てがい、詰め替えパックと詰め替えボトルを立てた状態に戻したところで、パック上端縁に設けてある空気流入孔の摘み片を手で切取る。そうすることで、パック内に空気が流入するが、その際パックの内部は底部中央に向かってなだらかに斜降しているために、液体は流出孔に向かって落ちていくことで、素早く液体を詰め替えボトル内に注入できる構造になっている。
【符号の説明】
【０００９】１  摘み片、    ２  切り取り線、    ３  流気孔、    ４  空気流入孔、
５  斜降面、    ６  流出孔、    ７  流出孔切取り線、    ８  切除摘み片、
Ｂ  詰め替えボトル
【図１】
2020015550.tif 000003
【図２】
2020015550.tif 000004
【図３】
2020015550.tif 000005
(57)【要約】      （修正有）【課題】ＰＴ４３３（波長４２８〜４５１ｎｍの範囲の光）による皮膚への影響を回避または低減する、化粧料の提供。【解決手段】波長４２８〜４５１ｎｍの範囲のブルーライトによる皮膚への影響を回避または低減する目的で、白色光下で黄色を示す油剤、紫外線吸収剤、色素、レーキ色素、酸化チタン、酸化亜鉛、アルミニウムフレーク、酸化鉄から選ばれる成分を１種以上含むことを特徴とする化粧料。【選択図】なし【特許請求の範囲】
【請求項１】
波長４２８〜４５１ｎｍの範囲のブルーライトによる皮膚への影響を回避または低減する目的で、白色光下で黄色を示す油剤、紫外線吸収剤、色素、レーキ色素、酸化チタン、酸化亜鉛、アルミニウムフレーク、酸化鉄から選ばれる成分を１種以上含むことを特徴とする化粧料。
【発明の詳細な説明】
【技術分野】
【０００１】  我々はブルーライトの研究を通して、波長４３３ｎｍを中心とする光（以後ＰＴ４３３という）が皮膚温度を上昇させたり（非特許文献１）、神経系の異常を惹起したり、皮膚色を肝斑様に色変化させることを見出した。ブルーライトは紫外線同様に生体に影響があるのではないかとの興味から種々の波長の影響が検討されている（非特許文献２）が、実際にヒトで具体的な影響を確認した例は眼科領域を除いて少なく、特に皮膚科領域ではあまり見られない（非特許文献３）。
【先行技術文献】
【０００２】
【非特許文献１】東海大学  ｈｔｔｐｓ：／／ｗｗｗ．ｕ−ｔｏｋａｉ．ａｃ．ｊｐ／ａｃａｄｅｍｉｃｓ／ｕｎｄｅｒｇｒａｄｕａｔｅ／ｅｎｇｉｎｅｅｒｉｎｇ／ｎｅｗｓ／ｄｅｔａｉｌ／ｐｏｓｔ＿３２４．ｈｔｍｌ（２０１９年３月２４日検索）
【非特許文献２】渕端三枝、フレグランスジャーナル、ｐ４２−４７、２０１７年１０月号
【非特許文献３】Ｐ．Ｐａｐａｇｅｏｒｇｉｏｕ他、Ｂｒｉｔｉｓｈ  Ｊ．Ｄｅｒｍａｔｏｌｏｇｙ，１４２，ｐ．９７３−９７８，２０００
【発明の概要】
【発明が解決しようとする課題】
【０００３】  ＰＴ４３３（波長４２８〜４５１ｎｍの範囲の光）による皮膚への影響を回避または低減する目的の化粧料を得ること。
【課題を解決するための手段】  白色光下で黄色を示す油剤、紫外線吸収剤、色素、レーキ色素、植物エキス、酸化チタン、酸化亜鉛、アルミニウムフレーク、酸化鉄から選ばれる成分を１種以上含むことを特徴とする化粧料を用いて、ＰＴ４３３（波長４２８〜４５１ｎｍの範囲の光）による皮膚への影響を回避または低減する。
【発明の効果】
【０００４】  白色光下で黄色を示す油剤、紫外線吸収剤、色素、レーキ色素、植物エキス、酸化チタン、酸化亜鉛、アルミニウムフレーク、酸化鉄から選ばれる成分を１種以上含むことを特徴とする化粧料を用いることにより、ＰＴ４３３による皮膚への影響を回避または軽減できる。
【発明を実施するための形態】
【０００５】  以下、本発明を詳細に説明する。
ＰＴ４３３（波長４２８〜４５１ｎｍの範囲の光）は、スペクトルアナライザーを用いて波形の分布および強度を測定することができる。ＰＴ４３３は太陽光にも十分含まれているが、照明器具やスマートフォンなどのディスプレイにも含まれている。
本発明の化粧料では、白色光下で黄色を示す油剤、紫外線吸収剤、色素、レーキ色素、植物エキス、酸化チタン、酸化亜鉛、アルミニウムフレーク、酸化鉄から選ばれる成分を１種以上含むことを特徴とする。白色光としては、ＣＩＥ標準光源Ｄ６５を用いることが好ましい。ＰＴ４３３を皮膚に照射した際の皮膚温度の上昇の抑制効果としては、ＵＶＡ紫外線吸収剤、黄色色素、レーキ色素が最も効果が高く、次いで顔料級酸化チタン、顔料級酸化亜鉛（共に非ナノ粒子）、アルミニウムフレークの効果が高かった。
【０００６】  これらの成分の配合量は特に制限はなく、化粧料中に０．０１〜５０質量％の範囲で配合することが好ましい。但し、黄色が強すぎると見た目に違和感がでるため、赤や黒、青の色材で調色して肌色にすることが好ましい。本発明の化粧料では、ファンデーション、リクイドファンデーション、ティントタイプの乳液、クリーム、ローション、白粉、ハンドクリームが好ましい剤型として挙げられる。化粧料は顔だけでなく、全身の露光部位に適用できる。
【０００７】  本発明の化粧料では、上記の各成分に加えて、従来化粧料で用いられてきた各種の成分を任意に使用することができる。
【実施例】
【０００８】  以下、実施例にて本発明を詳細に説明する。
本発明では、ＰＴ４３３として、ホルキン社製の出力１ｍＷのＬＥＤで、中心波長４３３ｎｍ、出力１／２になる波長が４２８ｎｍと４５１ｎｍとなるＬＥＤランプを用いた。なお、スペクトロアナライザー（ＳＥＫＯＮＩＣ社製スペクトロマスターＣ−７０００）で分析したところ紫外線は含まれていなかった。【０００９】  試験方法は実施例および比較例の化粧料を前腕内側部に塗布し、肌から１５ｍｍ離してＰＴ４３３を固定し、１５分間照射した際の皮膚の温度上昇をサーモカメラ（ＫＫＭＯＯＮ社製  ＣＡＮ３ＦＷ型、許容誤差０．５℃）を用いて計測した。計測は血流の影響を避けるため、照射部の左右と上部の側方計３点と照射部の温度を比較して、有意な温度上昇が見られるかどうかで評価した。誤差以上の温度上昇が認められた場合は、防御効果がないと判断した。【００１０】  化粧料の実施例および比較例
ＢＡＳＦ社製Ｕｖｉｎｕｌ  Ａ  ｐｌｕｓ  Ｂ（ＵＶＡとＵＶＢの紫外線吸収剤、外観色：黄色）１２質量部と、エチルアルコール１０質量部、シリコーンゲル（信越化学工業社製ＫＳＧ−１６）３０質量部、メチルトリメチコン４８質量部をよく混合して実施例１を得た。また、Ｕｖｉｎｕｌ  Ａ  ｐｌｕｓ  Ｂの代わりにメチルトリメチコンを用いた他は実施例１と同様にして比較例１を得た。【００１１】  シリコーンゲル（信越化学工業社製ＫＳＧ−１６）９９．５質量部に、大東化成工業製黄色４号分散ペースト（ＤＫ−ＩＰＤ  ＰＡＳＴＥ  Ｙ５Ｌ、外観色：黄色）０．５質量部をよく混合して実施例２を得た。また、黄色４号分散ペーストの代わりに、タルクを用いた他は実施例２と同様にして比較例２を得た。【００１２】  オクチルシリル化した顔料級酸化チタン（石原産業製ＣＲ５０）１０質量部と、オクチルシリル化タルク２０質量部、オクチルシリル化セリサイト５６．９質量部、酸化鉄混合物３．１質量部、ワセリン２質量部、流動パラフィン６質量部、ジメチコン２質量部をよく混合して、メッシュを通した後、金型を用いて金皿に打型し、パウダーファンデーション形態の実施例３を得た。また、顔料級酸化チタンと酸化鉄混合物の代わりに、セリサイトを用いた他は実施例３と同様にして比較例３を得た。【００１３】  実施例および比較例について評価した結果を表１に示す。【００１４】
【表１】
2020158480.tif 000002
【００１５】  表１の結果より、本発明の実施例はいずれもＰＴ４３３による皮膚の温度上昇を抑制していることが確認された。一方、比較例ではいずれも０．５℃以上の温度上昇が認められ、効果がないことが分かった。